(57)【特許請求の範囲】
【請求項１】
開放空間となる防護区画に設置され、微噴霧を火源に噴射して消火する微噴霧消火ヘッドに於いて、
ヘッド背後に、噴射した微噴霧に伴って後方より流入する気流を遮断する噴霧パターンの範囲をカバーする大きさで防護区画の形に適合した気流抑止板を設けたことを特徴とする微噴霧消火ヘッド。
【請求項２】
請求項１記載の微噴霧消火システムに於いて、前記気流抑止板は円盤状の板部材であり、ヘッド付け根部分に装着されたことを特徴とする微噴霧消火ヘッド。
【発明の詳細な説明】
【０００１】
【発明の属する技術分野】
本発明は、数十μｍから数百μｍ程度の粒径の微噴霧水を火源に噴射して消火する微噴霧消火ヘッドに関する。
【０００２】
【従来の技術】
従来、コンピュータルーム等の水損被害を起こすことのできない防護区画の消火設備として、微噴霧消火システムが使用されている。微噴霧消火システムは、消火用水を微噴霧消火ヘッドに加圧供給し、数十μｍから数百μｍ程度の粒径の微噴霧を火源に向けて噴き付けることにより、水損を起すことなく確実に消火するシステムである。
【０００３】
微噴霧消火システムの基本的な考え方は、消火に使用する液滴のサイズを小さくし、比表面積を大きくすることで蒸発を促進し、蒸発する際の蒸発熱を火災源から奪ったり、蒸気によって可燃ガスを希釈したり、酸素濃度を希釈したり、或いは噴霧圧力によって生成される噴流によって可燃性ガスを燃焼場から掃気するメカニズムで消火能力を高めることにある。
【０００４】
ここで、一定体積の水を噴霧ヘッドから噴射して微噴霧としたときの比表面積Ｓは、
0003609922.tif 000002
で定義される。微噴霧とした液滴を球と見做し半径をｒとすると比表面積Ｓは、
0003609922.tif 000003
となり、粒径ｒが小さい程、比表面積Ｓを大きくすることができる。
【０００５】
このため微噴霧消火システムにあっては、火源に噴射した微噴霧水を、火災による高温空間で、いかに効率よく蒸発させるかが重要なポイントになる。即ち、火源の規模、微噴霧の液滴サイズ、液滴の初期運動量、噴霧ヘッドと火源との相対位置等が消火能力を決定する大きなポイントとなる。
【０００６】
【発明が解決しようとする課題】
ところで、このような微噴霧消火ヘッドを使用した消火システムにあっては、例えば図３のように微噴霧消火ヘッド２を設置している場合、微噴霧の噴射に伴ってヘッド後方からの気流１６の流れ（伴流）が発生する。この伴流部分の圧力低下により、噴射され霧状になった液滴粒子は、伴流部に舞い上がり（飛沫同伴）、結果的には噴霧した液滴全てが有効に火災源に到達しない。このため火源に直接作用する液滴は噴霧パターン１８のように非常に狭くなる。
【０００７】
この場合、微噴霧消火ヘッド２が設置された防護区画が密閉された室内空間であれば、噴射された液滴は室内を循環し、噴霧パターン１８のように防護範囲が狭くとも、液滴の循環によってある程度の消火効果は期待できる。
しかし、防護区画が密閉されていない開放空間の場合には、微噴霧消火ヘッド２から噴射された液滴を直接火災の炎に作用させる必要があるが、後方からの気流１６によって噴霧パターン１８が狭められ、噴射した液滴を直接作用できる防護範囲が狭くなる。このため開放された防護区画については、微噴霧消火ヘッドの設置数を増加させなければならず、設備コストがアップする大きな要因となっている。
【０００８】
また図４のように、天井ボード６の位置に微噴霧消火ヘッド２を配置した防護区画についても、天井ボード６にヘッド配置穴６ａを開口しているため、微噴霧の噴射に伴って天井内からヘッド配置穴６ａを通る気流１６の流れが起き、噴霧された液滴が後方からの気流１６により運ばれ、同様に火源に直接作用する液滴は噴霧パターン１８のように狭くなり、開放空間でのヘッド設置数が増加する問題がある。
【０００９】
本発明は、このような従来の問題点に鑑みてなされたもので、微噴霧の噴射に伴う気流の発生で防護範囲が狭められないようにした構造の微噴霧消火ヘッドを提供することを目的とする。
【００１０】
【課題を解決するための手段】
この目的を達成するため本発明は次のように構成する。本発明は、開放空間となる防護区画に設置され、微噴霧を火源に噴射して消火する微噴霧消火ヘッドを対象とし、ヘッド背後に、噴射した微噴霧に伴って後方より流入する気流を遮断する噴霧パターンの範囲をカバーする大きさで防護区画の形に適合した気流抑止板を設けたことを特徴とする。この気流抑止板は円盤状の板部材であり、ヘッド付け根部分に装着される。
【００１１】
このようにヘッド後方に気流抑止板を配置することで、防護区画が開放空間であっても、ヘッドから微噴霧を噴射しても後方からの気流は発生せず、微噴霧の噴射に伴う気流を最小限に抑え、後方からの気流に妨げられることなく噴射された液滴を十分に飛翔させ、火源に液滴が直接作用する広い防護範囲を確保できる。
【００１２】
また天井ボードのヘッド配置穴に微噴霧消火ヘッドを配置して天井内に配管接続している場合にも、気流抑止板によって天井ボードのヘッド配置穴の隙間を閉鎖し、微噴霧の噴射に伴うヘッド配置穴の隙間を通る気流を最小限に抑え、後方からの気流に妨げられることなく噴射された液滴を十分に飛翔させ、火源に液滴が直接作用する広い防護範囲を確保できる。
【００１３】
【発明の実施の形態】
図１は本発明の微噴霧消火ヘッドが使用された微噴霧消火システムの説明図である。図１において、コンピュータルーム等の防護区画１の天井面側には、本発明の微噴霧消火ヘッド２が給水配管１０による立ち下げ部分に対する接続で設置されている。本発明の微噴霧消火ヘッド５は、給水配管１０から加圧された消火用水を供給された際に、数十μｍ〜数百μｍ程度の極めて小さな粒径の液滴となる微噴霧を噴射する。
【００１４】
この微噴霧消火ヘッド２の背後となるヘッド付け根部分には、気流抑止板３が設けられている。気流抑止板３は円盤状の板部材であり、微噴霧消火ヘッド２より火源５側に噴射して直接作用させる液滴の噴霧パターン４の範囲を十分にカバーできる大きさをもっている。この気流抑止板３は、微噴霧消火ヘッド２から微噴霧を噴射した際に、図３の従来ヘッドのように微噴霧の放出で生ずる後方からの気流を阻止するために設けている。
【００１５】
このため、気流抑止板３の下側となる微噴霧消火ヘッド２の噴出側の空間に対する後方からの気流は気流抑止板３により十分に阻止され、気流の少ない安定した静的な空間として確保されている。このため、微噴霧消火ヘッド２から噴射された微噴霧の液滴は、後方からの気流の影響を受けずに噴霧パターン４のように十分に広い範囲に飛翔し、噴霧パターン４で決まる防護範囲に存在する火源５に対し液滴を直接作用させて、効果的な微噴霧による消火を行うことができる。
【００１６】
防護区画１に設置された本発明の微噴霧消火ヘッド２に対しては、制御弁１１を介して消火ポンプ８からの給水配管１０が接続されている。制御弁１１としては、例えば電動弁や電磁弁を使用することができる。給水配管１０の途中にはアキュームレータ１２が接続され、微噴霧消火ヘッド２からの微噴霧の噴射に伴う加圧消火用水の変動を抑える蓄圧機能を果たしている。消火ポンプ８は例えば水源水槽９の消火用水を汲み上げて予め定めた規定圧力に加圧し、給水配管１０により微噴霧消火ヘッド２に供給する。
【００１７】
微噴霧消火ヘッド２に対する消火配管１０に設けられた制御弁１１は、制御盤１３により開閉駆動される。制御盤１３に対しては防護区画１に設置した火災感知器１４からの信号線が接続され、また給水配管１０に設けている圧力センサ１５からの信号線も接続され、更に消火ポンプ８の駆動モータに対し信号線を接続している。
【００１８】
制御盤１３には微噴霧制御部１３ａが設けられ、例えば火災感知器１４の発報信号を受信して防護区画１の火災を判断すると消火ポンプ８を起動し、圧力センサ１５により給水配管１０の圧力が規定圧力以上であることを確認して制御弁１１を開放駆動し、微噴霧消火ヘッド２よりごく小さな液滴の微噴霧の放出を行う。
【００１９】
図２は本発明の微噴霧消火ヘッドの他の使用状態であり、天井ボードを備えた防護区画に設置した場合を例にとっている。図２にあっては、天井スラブ７側に天井ボード６を設置し、その下側の室内を防護区画１としており、天井ボード６にヘッド配置穴６ａを形成し、ヘッド配置穴６ａの部分に天井内に配管した給水配管１０によって本発明の微噴霧消火ヘッド２を接続している。
【００２０】
このような天井ボード６に対する微噴霧消火ヘッド２の配置において、本発明にあっては、ヘッド背後に円盤状の気流抑止板３を設けているため、気流抑止板３によって天井ボード６に形成したヘッド配置穴６ａが閉鎖される。
このため、微噴霧消火ヘッド２から微噴霧の液滴を噴出しても、天井ボード６のヘッド配置穴６ａは気流抑止板３により閉鎖されているため後方からの気流は発生せず、気流抑止板３の下側の気流のない空間で放出された液滴は十分に飛翔し、噴霧パターン４のように十分に広い火源５を含む防護範囲を確保することができる。ここで図２の防護区画１に設けた本発明の微噴霧消火ヘッド２に対する配管系統及び電気系統は、図１と同じになる。
【００２１】
尚、上記の実施形態は、微噴霧消火ヘッド２の気流抑止板３としてヘッド背後にフラットな円盤状の板部材を配置する場合を例にとっているが、下側に開口した円錐形状や半球形状等としてもよい。また気流抑止板３は、円板以外に楕円、矩形等、防護区画の形に適合した適宜の平面形状としてもよい。
【００２２】
【発明の効果】
以上説明してきたように本発明によれば、微噴霧消火ヘッドのヘッド背後に気流抑止板を設けたことで、微噴霧消火ヘッドを開放空間に設置した場合や天井面のヘッド配置穴に設置した場合に、ヘッドからの微噴霧の放出に伴う後方からの気流をなくすことで微噴霧放出側における気流の乱れを最小限に抑えることができ、これによって放出された微噴霧の液滴を十分に飛翔させて、火災による炎に直接作用させることのできる広い防護範囲を確保でき、その結果、開放された空間となる防護区画でのノズルの必要個数を低減し、コストダウンを図ることができる。
【図面の簡単な説明】
【図１】本発明の微噴霧消火ヘッドを開放空間に設置した微噴霧消火システムの説明図
【図２】本発明の微噴霧消火ヘッドを天井ボードのヘッド配置穴に設けた説明図
【図３】開放空間に設置した従来の微噴霧消火ヘッドの説明図
【図４】天井ボードの部分に配置した従来の微噴霧消火ヘッドの説明図
【符号の説明】
１：防護区画
２：微噴霧消火ヘッド
３：気流抑止板
４：噴霧パターン
５：火源
６：天井ボード
７：天井スラブ
８：消火ポンプ
９：水源水槽
１０：給水配管
１１：制御弁
１２：アキュームレータ
１３：制御盤
１４：火災感知器
【図１】
0003609922.tif 000004
【図２】
0003609922.tif 000005
【図３】
0003609922.tif 000006
【図４】
0003609922.tif 000007